【手続補正書】
【提出日】平成18年4月6日(2006.4.6)
【手続補正１】
【補正対象書類名】特許請求の範囲
【補正対象項目名】全文
【補正方法】変更
【補正の内容】
【特許請求の範囲】
【請求項１】
着脱自在のＩＣメモリを一意に特定するドメインＩＤを受付ける受付手段と、前記受付手段が受付けたドメインＩＤに基づいて通信相手のあて先情報を取得するあて先情報取得手段と、前記あて先情報取得手段により取得したあて先情報を有する通信相手にアプリケーションの種別を特定する情報を送信し、通信相手のＩＣメモリが当該アプリケーションと同じ種別のアプリケーションに割り当てたポートＩＤを取得するポートＩＤ取得手段と、前記あて先情報取得手段で取得したあて先情報で示すあて先に、前記受付手段で受付けたドメインＩＤおよび前記ポートＩＤ取得手段で取得したポートＩＤを送信データとともに送信する送信手段とを備えるデータ通信装置。
【請求項２】
前記受付手段により受付けたドメインＩＤに対応する公開鍵を取得する鍵取得手段と、前記鍵取得手段で取得した公開鍵を用いて前記送信手段で送信しようとする送信データを暗号化する暗号化手段とをさらに備え、
前記送信手段は前記暗号化手段によって暗号化された送信データを送信することを特徴とする請求項１記載のデータ通信装置。
【請求項３】
前記送信手段で送信しようとする送信データに対してデジタル署名を施すデジタル署名手段をさらに備え、
前記送信手段は前記デジタル署名手段によって電子署名された送信データを送信することを特徴とする請求項１または２に記載のデータ通信装置。
【請求項４】
アプリケーションからのポートＩＤ割当ての要求に応じてポートＩＤを割り当て、割り当てたアプリケーションの種別を特定する情報と割り当てたポートＩＤとを対応付けて記憶するとともに、一意に特定することのできるドメインＩＤを保持する着脱自在のＩＣメモリと、前記ＩＣメモリが装着されたとき、前記ＩＣメモリを一意に特定するドメインＩＤを、装置本体のあて先情報と対応付けてネットワーク上に設置されているサーバに登録する登録手段と、前記ＩＣメモリをあて先としてデータの送信を行う通信相手から当該通信相手側で起動しているアプリケーションの種別を特定する情報を受信する受信手段と、前記受信手段で受信したアプリケーションの種別を特定する情報に対応するポートＩＤを前記ＩＣメモリから取出す取出手段と、前記取出手段で取出したポートＩＤを前記通信相手に送信する送信手段とを備えるデータ通信装置。
【請求項５】
着脱自在のＩＣメモリを一意に特定するドメインＩＤを受付ける受付手段と、前記受付手段により受付けたドメインＩＤおよびアプリケーションの種別を特定する情報をブロードキャストにより送信し、送信したドメインＩＤに対応するあて先情報および送信したアプリケーションの種別を特定する情報に対応するポートＩＤを、ブロードキャストにより送信したドメインＩＤが一致するネットワーク上の装置から取得する取得手段と、前記取得手段により取得したあて先情報で示すあて先に、前記受付手段で受付けたドメインＩＤ、前記取得手段で取得したポートＩＤを送信データとともに送信する送信手段とを備えるデータ通信装置。
【請求項６】
着脱自在のＩＣメモリを一意に特定するドメインＩＤを受付ける受付ステップと、受付けたドメインＩＤに基づいて通信相手のあて先情報を取得するあて先情報取得ステップと、取得したあて先情報を有する通信相手にアプリケーションの種別を特定する情報を送信し、通信相手のＩＣメモリが当該アプリケーションと同じ種別のアプリケーションに割り当てたポートＩＤを取得するポートＩＤ取得ステップと、前記あて先情報取得ステップで取得したあて先情報で示すあて先に、前記受付けたドメインＩＤおよび前記取得したポートＩＤを送信データとともに送信する送信ステップとを備えるデータ通信方法。
【請求項７】
前記ＩＣメモリが装着されたとき、前記ＩＣメモリを一意に特定することのできるドメインＩＤを、装着された装置本体のあて先情報と対応付けてネットワーク上に設置されているサーバに登録する登録ステップと、
登録ステップ後、ＩＣメモリでは、アプリケーションのポート割当ての要求に応じてポートＩＤを割り当てるステップと、割り当てたアプリケーションの種別を特定する情報と割り当てたポートＩＤとを対応付けて記憶するステップと、を実行し、
前記ＩＣメモリをあて先としてデータの送信を行う通信相手から当該通信相手側で起動しているアプリケーションの種別を特定する情報を受信する受信ステップと、受信したアプリケーションの種別を特定する情報に対応するポートＩＤを前記ＩＣメモリから取出す取出ステップと、取出したポートＩＤを前記通信相手に送信する送信ステップとを備えるデータ通信方法。
【請求項８】
着脱自在のＩＣメモリを一意に特定するドメインＩＤを受付ける受付ステップと、受付けたドメインＩＤおよびアプリケーションの種別を特定する情報をブロードキャストにより送信するブロードキャスト送信ステップと、送信したドメインＩＤに対応するあて先情報および送信したアプリケーションの種別を特定する情報に対応するポートＩＤを、ブロードキャストにより送信したドメインＩＤが一致するネットワーク上の装置から取得する取得ステップと、取得したあて先情報で示すあて先に、前記受付ステップで受付けたドメインＩＤ、前記取得ステップで取得したポートＩＤを送信データとともに送信するデータ送信ステップとを備えるデータ通信方法。
【手続補正２】
【補正対象書類名】明細書
【補正対象項目名】０００８
【補正方法】変更
【補正の内容】
【０００８】
上述の課題を解決するため、本発明のデータ通信装置は、着脱自在のＩＣメモリを一意に特定するドメインＩＤを受付ける受付手段と、前記受付手段が受付けたドメインＩＤに基づいて通信相手のあて先情報を取得するあて先情報取得手段と、前記あて先情報取得手段により取得したあて先情報を有する通信相手にアプリケーションの種別を特定する情報を送信し、通信相手のＩＣメモリが当該アプリケーションと同じ種別のアプリケーションに割り当てたポートＩＤを取得するポートＩＤ取得手段と、前記あて先情報取得手段で取得したあて先情報で示すあて先に、前記受付手段で受付けたドメインＩＤおよび前記ポートＩＤ取得手段で取得したポートＩＤを送信データとともに送信する送信手段とを備えている。
【手続補正３】
【補正対象書類名】明細書
【補正対象項目名】０００９
【補正方法】変更
【補正の内容】
【０００９】
また、本発明のデータ通信方法は、着脱自在のＩＣメモリを一意に特定するドメインＩＤを受付ける受付ステップと、受付けたドメインＩＤに基づいて通信相手のあて先情報を取得するあて先情報取得ステップと、取得したあて先情報を有する通信相手にアプリケーションの種別を特定する情報を送信し、通信相手のＩＣメモリが当該アプリケーションと同じ種別のアプリケーションに割り当てたポートＩＤを取得するポートＩＤ取得ステップと、前記あて先情報取得ステップで取得したあて先情報で示すあて先に、前記受付けたドメインＩＤおよび前記取得したポートＩＤを送信データとともに送信する送信ステップとを備えている。
【手続補正４】
【補正対象書類名】明細書
【補正対象項目名】００１０
【補正方法】変更
【補正の内容】
【００１０】
本発明の上述の構成において、ＩＣメモリを一意に特定するドメインＩＤに基づいてあて先情報を取り出し、取り出したあて先情報の通信相手からアプリケーションの種別を特定する情報に基づいてポートＩＤを取り出し、取出したＩＣメモリを特定することのできるドメインＩＤおよびＩＣメモリにより割り当てられたポートＩＤをデータとともに送信することにより、ＩＣメモリが取り外され、別の装置にＩＣメモリが装着されたとしても、複雑な管理を行うことなくＩＣメモリ自体を特定して当該ＩＣメモリを備える通信装置と通信することができる。
【手続補正５】
【補正対象書類名】明細書
【補正対象項目名】００２１
【補正方法】変更
【補正の内容】
【００２１】
本発明は、ＩＣメモリを一意に特定するドメインＩＤに基づいてあて先情報を取り出し、取り出したあて先情報の通信相手からアプリケーションの種別を特定する情報に基づいてポートＩＤを取り出し、取出したＩＣメモリを特定することのできるドメインＩＤおよびＩＣメモリにより割り当てられたポートＩＤをデータとともに送信することにより、ＩＣメモリが取り外され、別の装置にＩＣメモリが装着されたとしても、複雑な管理を行うことなくＩＣメモリ自体を特定して当該ＩＣメモリを備える通信装置と通信することができる。